(57)【特許請求の範囲】
【請求項１】
波板製構造物を地上に構築する際の前記構造物の基礎構造であって、地中に埋設された基礎コンクリートブロックと、上部が前記基礎コンクリートブロック上から突出し、下部が前記基礎コンクリートブロック内に埋め込まれた複数本の固定部材とからなり、前記固定部材は、前記構造物を構成する波板のフランジに対応する位置に互いに間隔をあけ、前記波板の波付け方向に沿って２列に固定されていることを特徴とする、波板製構造物の基礎構造。
【請求項２】
一方の列の前記固定部材は、前記波板の一方のフランジの外面に固定され、他方の列の前記固定部材は、前記波板の他方のフランジの内面および外面の何れか一方に固定されていることを特徴とする、請求項１記載の基礎構造。
【請求項３】
一方の列の前記固定部材は、前記波板の一方のフランジの内面に固定され、他方の列の前記固定部材は、前記波板の他方のフランジの内面および外面の何れか一方に固定されていることを特徴とする、請求項１記載の基礎構造。
【請求項４】
前記固定部材は、溝型鋼またはＬ型鋼からなっていることを特徴とする、請求項１から３のうちの何れか１つに記載された基礎構造。
【発明の詳細な説明】
【０００１】
【産業上の利用分野】
この発明は、波板製構造物の基礎構造、特に、基礎コンクリートブロックが波板製構造物のために分割されることを防ぎ、基礎コンクリートブロックの耐力を十分に発揮できるようにした、波板製構造物の基礎構造に関するものである。
【０００２】
【従来の技術】
従来、図７に示すような鋼製波板を、その波付け方向と直交する方向に円弧状に湾曲させた波板によって、例えば、倉庫を地上に構築する場合、その基礎構造には、以下のようなものがあった。
【０００３】
図８に示すように、地中に穴を先掘りし、この穴内に波板製構造物を構成する円弧状波板１の端部を入れ、穴内にコンクリート２を打設する。以下、従来技術１という。
【０００４】
図９に示すように、波板製構造物を構成する円弧状波板１の端面にプレート３を溶接し、このプレート３と地上に固定した基台４とをボルト締めする。以下、従来技術２という。
【０００５】
しかしながら、図８に示す従来技術１は、穴内へのコンクリート２の打設等の作業と円弧状波板１の組立作業とを同時に行う必要があるので、作業が煩雑となる。特に、構造物が大型になると、仮設が必要となるので構築費用が増加する。しかも、先掘りした穴内に雨水が溜まると、その排水に時間と手間がかかる。
【０００６】
図９に示す従来技術２は、プレート３を円弧状波板１の長手方向に作用する外力に対抗し得るものにするには、プレート３の板厚を波板１の板厚よりかなり厚くする必要があるとともに、プレート３を波板１の端面の全長に亘って溶接する必要があるので、構築費用が増加する。
【０００７】
そこで、図１０に示すように、地中に埋設した基礎コンクリートブロック５に、円弧状波板１と同一断面形状の波板状固定部材６の下部を埋め込み、固定部材６に波板１の下部をボルト締めすることからなる基礎構造がある。以下、この基礎構造を従来技術３という。
【０００８】
【発明が解決しようとする課題】
しかしながら、上述した従来技術３は、次のような問題を有していた。即ち、基礎コンクリートブロック５中に波板状固定部材６の下部が埋め込まれるので、基礎コンクリートブロック５が固定部材６によって分割される。従って、基礎コンクリートブロック５の強度が低下して、固定部材６の固定に必要な耐力を確保することができず、必要耐力を確保するためには、基礎コンクリートブロック５を大型化する必要があった。
【０００９】
従って、この発明の目的は、基礎コンクリートブロックが分割されないようにして、基礎コンクリートブロックを大型化することなく、十分に高い強度を基礎コンクリートブロックに持たせることができる、波板製構造物の基礎構造を提供することにある。
【００１０】
【課題を解決するための手段】
この発明は、波板製構造物を地上に構築する際の基礎構造であって、地中に埋設された基礎コンクリートブロックと、上部が前記基礎コンクリートブロック上から突出し、下部が前記基礎コンクリートブロック内に埋め込まれた複数本の固定部材とからなり、前記固定部材は、前記構造物を構成する波板のフランジに対応する位置に互いに間隔をあけ、前記波板の波付け方向に沿って２列に固定されていることに特徴を有するものである。
【００１１】
この発明の別の特徴は、一方の列の前記固定部材は、前記構造物の一方のフランジの外面に固定され、他方の列の前記固定部材は、前記構造物の他方のフランジの内面および外面の何れか一方に固定されていることにある。
【００１２】
この発明の更に別の特徴は、一方の列の前記固定部材は、前記構造物の一方のフランジの内面に固定され、他方の列の前記固定部材は、前記構造物の他方のフランジの内面および外面の何れか一方に固定されていることにある。
【００１３】
【作用】
波板製構造物を構成する波板の下部がボルト締めされる固定部材の下部を、基礎コンクリートブロックに埋め込む際に、溝型鋼またはＬ型鋼等の固定部材を波板製構造物のフランジに対応する位置に互いに間隔をあけて埋め込むことによって、基礎コンクリートブロックが固定部材によって分割されることがなくなる。従って、基礎コンクリートブロックを大型化することなく、十分に高い強度を基礎コンクリートブロックに持たせることができる。
【００１４】
【実施例】
次に、この発明の、波板製構造物の基礎構造の一実施例を、図面を参照しながら説明する。
【００１５】
図１は、この発明の、波板製構造物の基礎構造の一実施例を示す部分平面図、図２は、図１のＡ−Ａ線断面図である。
【００１６】
図１および図２において、７は、地中に埋設された基礎コンクリートブロック、８は、上部が基礎コンクリートブロック７上から突出し、下部が基礎コンクリートブロック７内に埋め込まれた、溝型鋼またはＬ型鋼からなる複数本の固定部材、そして、９は、下部が固定部材８にボルト締めされる、波板製構造物を構成する波板である。
【００１７】
固定部材８Ａ、８Ｂは、波板９のフランジに対応する位置に互いに間隔をあけ、波板９の波付け方向に沿って２列に固定されている。一方の列の固定部材８Ａは、波板９の一方のフランジ９Ａの外面に固定され、他方の列の固定部材８Ｂは、波板９の他方のフランジ９Ｂの外面に固定されている。固定部材８Ａ、８Ｂのウエッブが波板９のフランジ面に固定されるが、固定部材８Ａ、８Ｂのウエッブ幅は、波板９のフランジ幅と必ずしも等しくする必要はない。この実施例によれば、固定部材８Ａ、８Ｂが何れも波板９のフランジ外面に固定されているので、構造物を構築する際の波板９の横方向の位置調整が容易に行える。
【００１８】
上述した、この発明の、波板製構造物の基礎構造によれば、固定部材８Ａ、８Ｂは、波板９のフランジに対応する位置に互いに間隔をあけて固定されているので、基礎コンクリートブロック７は、固定部材８Ａ、８Ｂによって分割されず、一体化される。これは、固定部材８Ａ、８Ｂの基礎コンクリートブロック７への固定が、固定部材８Ａ、８Ｂを予め基板１０上に垂直に所定間隔をあけて固定しておき、基礎コンクリートブロック７の型枠内にコンクリートを打設することによって行われるからである。従って、基礎コンクリートブロック７を大型化することなく、十分に高い強度を基礎コンクリートブロック７に持たせることができる。
【００１９】
次に、この発明の、波板製構造物の基礎構造の他の実施例を、図面を参照しながら説明する。
【００２０】
図３は、この発明の、波板製構造物の基礎構造の他の実施例を示す部分平面図、図４は、図３のＡ−Ａ線断面図である。
【００２１】
図３および図４に示すように、この発明の、波板製構造物の基礎構造は、上述した実施例におけると同様に、固定部材８Ａ、８Ｂが波板９のフランジに対応する位置に互いに間隔をあけ、波板９の波付け方向に沿って２列に固定されているものからなっている。異なる点は、一方の列の固定部材８Ａが波板９の一方のフランジ９Ａの内面に固定され、他方の列の固定部材８Ｂが波板９の他方のフランジ９Ｂの外面に固定されていることにある。
【００２２】
上述した以外に、図５に示すように、一方の列の固定部材８Ａを、波板９の一方のフランジ９Ａの内面に固定し、他方の列の固定部材８Ｂを波板９の他方のフランジ９Ｂの内面に固定しても、あるいは、図６に示すように、一方の列の固定部材８Ａを、波板９の一方のフランジ９Ａの外面に固定し、他方の列の固定部材８Ｂを波板９の他方のフランジ９Ｂの内面に固定してもよい。
【００２３】
上述した、この発明の、波板製構造物の基礎構造によれば、上述した実施例におけると同様に、固定部材８Ａ、８Ｂは、波板９のフランジに対応する位置に互いに間隔をあけて固定されているので、基礎コンクリートブロック７は、固定部材８Ａ、８Ｂによって分割されず、一体化される。従って、基礎コンクリートブロック７を大型化することなく、十分に高い強度を基礎コンクリートブロック７に持たせることができる。
【００２４】
【発明の効果】
以上説明したように、この発明によれば、次のような有用な効果がもたらされる。即ち、波板製構造物を構成する波板の下部がボルト締めされる固定部材の下部を、基礎コンクリートブロックに埋め込む際に、溝型鋼またはＬ型鋼等の固定部材を波板製構造物のフランジに対応する位置に互いに間隔をあけて埋め込むことによって、基礎コンクリートブロックが固定部材によって分割されることがなくなる。従って、基礎コンクリートブロックを大型化することなく、十分に高い強度を基礎コンクリートブロックに持たせることができる。
【図面の簡単な説明】
【図１】この発明の、波板製構造物の基礎構造の一実施態様を示す部分平面図である。
【図２】図１のＡ−Ａ線断面図である。
【図３】この発明の、波板製構造物の基礎構造の他の実施態様を示す部分平面図である。
【図４】図３のＡ−Ａ線断面図である。
【図５】この発明の、波板製構造物の基礎構造の更に別の実施態様を示す部分平面図である。
【図６】この発明の、波板製構造物の基礎構造の更に別の実施態様を示す部分平面図である。
【図７】鋼製波板を示す断面図である。
【図８】従来技術１を示す断面図である。
【図９】従来技術２を示す断面図である。
【図１０】従来技術３を示す断面図である。
【符号の説明】
１  波板
２  コンクリート
３  プレート
４  基台
５  基礎コンクリートブロック
６  固定部材
７  基礎コンクリートブロック
８  固定部材
８Ａ  一方の列の固定部材
８Ｂ  他方の列の固定部材
９  波板
９Ａ  一方のフランジ
９Ｂ  他方のフランジ
１０  基板
【図１】
0003636762.tif 000002
【図２】
0003636762.tif 000003
【図３】
0003636762.tif 000004
【図４】
0003636762.tif 000005
【図５】
0003636762.tif 000006
【図６】
0003636762.tif 000007
【図７】
0003636762.tif 000008
【図８】
0003636762.tif 000009
【図９】
0003636762.tif 000010
【図１０】
0003636762.tif 000011